(57)【要約】【課題】一記録層を再生している状態において、非再生記録層に記録されている情報をユーザに提示することが可能な光ディスク装置を提供する。【解決手段】本発明の光ディスク装置は、光検出器と、記録部と、記録方式の異なる複数の記録層が一枚の光ディスク内に含まれているか否かを検出する制御部とを備えている。記録方式の異なる複数の記録層が検出された場合、制御部は各記録層に記録されている音声／画像情報の管理情報を取得する。さらに制御部は、光ディスク再生状態において所定操作を操作部により受け付けた場合に、再生中の記録層と異なる記録層の管理情報を記録部より読み出す。そして読み出した管理情報を表示するよう表示部又は接続部を制御する。そして管理情報に示されている音声／画像情報の選択指示を待ち受ける。この状態で選択指示を受け付けると、受け付けた選択指示に対応する音声／画像情報の再生を行う。【選択図】図１
2010287278.tif 000002
【特許請求の範囲】
【請求項１】
光ディスクに光ビームを照射し、前記光ディスクからの反射光を受光し、前記反射光を光電変換することにより情報信号を生成する光検出器と、
情報を記録する記録部とを備えた光ディスク装置において、
記録方式の異なる複数の記録層が前記光ディスクに含まれているか否かを前記光検出器を用いて検出し、記録方式の異なる複数の記録層が検出された場合に、各記録層に記録されている予め定められた種別の情報を前記光ディスクから取得して前記記録部に記録する制御部を備えること、
を特徴とする光ディスク装置。
【請求項２】
前記制御部が、記録方式の異なる複数の記録層が前記光ディスクより検出された場合に、各記録層に記録されている音声／画像情報の管理情報を取得し、前記管理情報に示されている音声／画像情報の選択指示を受け付け、該選択指示により指示された音声／画像情報の再生を行う、
請求項１に記載の光ディスク装置。
【請求項３】
前記光ディスク装置に対する操作を受け付ける操作部と、情報の表示を行う表示部又は前記光ディスク装置に表示装置を接続する接続部とを備え、
前記制御部が、前記光検出器により前記光ディスクを再生している状態において予め定められた操作を前記操作部により受け付けた場合に、再生中の記録層と異なる記録層より予め取得されている前記管理情報を前記記録部より読み出し、該管理情報を前記表示部又は前記表示装置に表示するよう前記表示部又は前記接続部を制御する、
請求項２に記載の光ディスク装置。
【請求項４】
前記制御部が、前記記録部より読み出した前記管理情報を表示するよう前記表示部又は前記接続部を制御した場合に、該管理情報に示されている音声／画像情報の選択指示を前記操作部により受け付け、受け付けた該選択指示により指示された音声／画像情報が記録されている記録層を判別し、判別した該記録層に記録されている該音声／画像情報を再生するよう前記光検出器を制御する、
請求項３に記載の光ディスク装置。
【請求項５】
画像信号を生成する画像信号生成部を備え、
前記制御部が、前記管理情報示す画像を生成するよう前記画像信号生成部を制御し、生成された画像を前記表示部又は前記表示装置に表示するよう前記表示部又は前記接続部を制御する、
請求項３又は請求項４に記載の光ディスク装置。
【発明の詳細な説明】
【技術分野】
【０００１】
本発明は、光ディスク装置に関するものであり、特に記録方式が異なる複数の記録層を備えた光ディスクを再生可能な光ディスク装置に関する。
【背景技術】
【０００２】
近年、デジタル技術の多機能化、多様化により、ＤＶＤ（Digital Versatile Disc）プレイヤやＢＤ（Blu-ray Disc）（登録商標）プレイヤ等の様々な光ディスク装置が普及している。さらには、ＤＶＤメディアとＢＤメディアの両方を再生可能なコンパチブルプレイヤも普及している。
【０００３】
また光ディスクメディアに関しても、ＤＶＤ記録方式の記録層（以下、「ＤＶＤ記録層」という）とＢＤ記録方式の記録層（以下、「ＢＤ記録層」という）との二層構造をした光ディスクである、ハイブリッドディスクが実用化されている。
【０００４】
ハイブリッドディスクは、ＤＶＤプレイヤであればＤＶＤ記録層が、ＢＤプレイヤであればＢＤ記録層が読み取られる。このため、ＤＶＤプレイヤを所有しているユーザと、ＢＤプレイヤを所有しているユーザとの両方を、マーケティングの対象とすることが可能である。
【０００５】
上記に関連して特許文献１においては、ハイブリッドディスクがディスクドライブ内にロードされた場合の、起動動作に関連する問題を解決することを目的とした光ディスク装置が開示されている。
【０００６】
この光ディスク装置は、ハイブリッドディスクの少なくとも一つの層の記録方式に関する情報を、ハイブリッドディスク上に付与する。例えば、一つの記録方式（例えばＢＤ）と、別の記録方式（例えばＤＶＤ）とが存在するか否かという情報を、ハイブリッドディスクの全部又は一部の層に記録する。この情報がない場合、そのディスクが単一記録方式のディスクであると認識する。情報がある場合、ハイブリッドディスクと認識する。
【０００７】
また上記に関連して特許文献２においては、ハイブリッドディスクであるか否かをユーザが認識することができ、いずれの記録層から情報を再生するかを自動的、又はユーザ指示に基づいて選択可能な再生装置が開示されている。
【０００８】
この再生装置は、第一記録層のリードイン領域にその管理情報を記録するとともに、第二記録層のデータ領域にも、第一記録層の存在を示すユーザデータを記録する。これにより、一記録層の再生しか対応していない再生装置であっても、ユーザは他層の存在を認識できる。
【先行技術文献】
【特許文献】
【０００９】
【特許文献１】特表２００８−５２４７６９号公報
【特許文献２】ＷＯ２００６／８０３５０号公報
【発明の概要】
【発明が解決しようとする課題】
【００１０】
しかしながら、上記に示されている光ディスク装置は、複数の記録層を切り替えて再生したり、複数の記録層が存在することをユーザに通知したりすることはできるが、ある記録層の再生を行っている間は、非再生状態の記録層（以下、「非再生記録層」という）の情報を読み取ることはできない。このためユーザは、非再生記録層に記録されている情報の確認を行う場合、一旦再生を中断し、再生する記録層を切り替える必要がある。このため操作に手間がかかり、不便さを感じるという問題があった。
【００１１】
本発明は、上記の問題を鑑みてなされたものであり、ハイブリッドディスクに含まれる一記録層を再生している状態において、非再生記録層に記録されている情報をユーザに提示することが可能な光ディスク装置を提供することを目的とする。
【課題を解決するための手段】
【００１２】
上記目的を達成するために本発明の光ディスク装置は、光ディスクに光ビームを照射し、前記光ディスクからの反射光を受光し、前記反射光を光電変換することにより情報信号を生成する光検出器と、情報を記録する記録部とを備えた光ディスク装置において、記録方式の異なる複数の記録層が前記光ディスクに含まれているか否かを前記光検出器を用いて検出し、記録方式の異なる複数の記録層が検出された場合に、各記録層に記録されている予め定められた種別の情報を前記光ディスクから取得して前記記録部に記録する制御部を備えることを特徴としている。
【００１３】
この構成によると、本発明の光ディスク装置は、光ディスクに光ビームを照射してその反射光から情報信号を生成する光検出器と、情報を記録する記録部とを備えている。また、記録方式の異なる複数の記録層、例えばＤＶＤ記録層やＢＤ記録層等が一枚の光ディスク内に含まれているか否かを、光検出器を用いて検出する制御部を備えている。記録方式の異なる複数の記録層が検出された場合、制御部は各記録層に記録されている所定情報、例えばタイトル情報やチャプター情報等を取得して記録部に記録する。これにより、再生の中断や再生する記録層の変更等を行うことなく、非再生記録層の情報を参照することが可能である。
【００１４】
また上記目的を達成するために本発明の光ディスク装置は、前記制御部が、記録方式の異なる複数の記録層が前記光ディスクより検出された場合に、各記録層に記録されている音声／画像情報の管理情報を取得し、前記管理情報に示されている音声／画像情報の選択指示を受け付け、該選択指示により指示された音声／画像情報の再生を行う。
【００１５】
この構成によると、記録方式の異なる複数の記録層が光ディスクより検出された場合に制御部は、各記録層に記録されている音声／画像情報の管理情報、例えばタイトル情報を取得する。そして管理情報を液晶パネル等に表示し、管理情報に示されている音声／画像情報の選択指示を待ち受ける。この状態で選択指示を受け付けると、受け付けた選択指示に対応する音声／画像情報の再生を行う。これによりユーザは、各記録層の管理情報を用いたサーチ再生（＝タイトルやチャプターを手動で指定することにより開始される再生）の実行指示を、再生する記録層の切り替えを行う前段階で行うことができる。
【００１６】
また上記目的を達成するために本発明の光ディスク装置は、前記光ディスク装置に対する操作を受け付ける操作部と、情報の表示を行う表示部又は前記光ディスク装置に表示装置を接続する接続部とを備え、前記制御部が、前記光検出器により前記光ディスクを再生している状態において予め定められた操作を前記操作部により受け付けた場合に、再生中の記録層と異なる記録層より予め取得されている前記管理情報を前記記録部より読み出し、該管理情報を前記表示部又は前記表示装置に表示するよう前記表示部又は前記接続部を制御する。
【００１７】
この構成によると、本発明の光ディスク装置は、光ディスク装置に対する操作を受け付ける操作部と、情報の表示を行う表示部、又は表示装置を接続する接続部とを備えている。制御部は、光検出器により光ディスクを再生している状態において所定操作を操作部により受け付けた場合に、再生中の記録層と異なる記録層の管理情報を記録部より読み出す。そして読み出した管理情報を表示するよう表示部を制御する。又は、管理情報を表示するための画像信号を表示装置に送信するよう接続部を制御する。例えば、ＤＶＤ記録層の再生中に所定操作を受け付けた場合、ＢＤ記録層の管理情報を読み出して表示する。これにより、再生を継続しつつ、非再生記録層の管理情報を表示することが可能である。
【００１８】
また上記目的を達成するために本発明の光ディスク装置は、前記制御部が、前記記録部より読み出した前記管理情報を表示するよう前記表示部又は前記接続部を制御した場合に、該管理情報に示されている音声／画像情報の選択指示を前記操作部により受け付け、受け付けた該選択指示により指示された音声／画像情報が記録されている記録層を判別し、判別した該記録層に記録されている該音声／画像情報を再生するよう前記光検出器を制御する。
【００１９】
この構成によると、制御部は管理情報を表示した後、管理情報により示される音声／画像情報の選択指示を待ち受ける待ち受け状態に移行する。この状態で選択指示を受け付けると、受け付けた指示に対応する音声／画像情報が記録されている記録層を判別する。そして該当する記録層に記録されている指示された音声／画像情報を再生するよう、光検出器を制御する。これにより、再生記録層を切り替えることなく、非再生記録層に対するサーチ再生指示を受け付けることが可能である。
【００２０】
また上記目的を達成するために本発明の光ディスク装置は、画像信号を生成する画像信号生成部を備え、前記制御部が、前記管理情報示す画像を生成するよう前記画像信号生成部を制御し、生成された画像を前記表示部又は前記表示装置に表示するよう前記表示部又は前記接続部を制御する。
【００２１】
この構成によると、本発明の光ディスク装置は、画像信号を生成する画像信号生成部を備えている。制御部は管理情報の表示制御を行う場合に、まず管理情報を示す画像信号を生成するよう画像信号生成部を制御する。そして生成された画像信号を表示部又は外部の表示装置へ送信する。これにより例えば、ＯＳＤ（On Screen Display）を用いた管理情報の表示が可能である。
【発明の効果】
【００２２】
本発明によれば、ハイブリッドディスクの再生時において、再生中の記録層（以下、「再生記録層」という）の管理情報と、非再生記録層の管理情報との両方をユーザに提示することが可能である。このためユーザは、再生停止及び再生する記録層の変更を行うことなく、非再生記録層の管理情報の確認を行うことができる。
【００２３】
また本発明によれば、非再生記録層の管理情報を表示するとともに、管理情報に含まれる各種情報、例えばタイトル情報やチャプター情報等の指定を受け付けて、指定に基づいた再生処理を行うことが可能である。このためユーザは、非再生記録層のタイトル情報やチャプター情報を用いたサーチ再生指示を行うことができる。
【図面の簡単な説明】
【００２４】
【図１】本発明の一実施形態に係る光ディスク装置を示す構成図である。
【図２】本発明の一実施形態に係る光ディスクと光ピックアップとの位置関係を示す模式図である。
【図３】本発明の一実施形態に係るタイトル情報取得処理を示すフロー図である。
【図４】本発明の一実施形態に係るタイトル情報表示処理を示すフロー図である。
【発明を実施するための形態】
【００２５】
以下に本発明の実施形態を、図面を参照しつつ説明する。なお、ここで示す実施形態は一例であり、本発明はここに示す実施形態に限定されるものではない。
〈１．内部構成について〉
【００２６】
図１は、本発明の一実施形態に係るディスクプレイヤ１００（＝光ディスク装置）を示す構成図である。ディスクプレイヤ１００は少なくとも、光ピックアップ１（＝光検出器）、ＲＦアンプ３１、ＤＳＰ（Digital Signal Processor）３２、再生処理回路３３、出力回路３４（＝接続部）、ＯＳＤ処理回路３５（＝画像信号生成部）、システムコントローラ４１（＝制御部）、ドライバ４２、表示部４３、操作部４４、記録部４５、送りモータ５１、及びスピンドルモータ５２を備えている。
【００２７】
光ピックアップ１は、光ディスク２に光ビームを照射して、光ディスク２に記録された音声情報、画像情報等の各種情報の読み取りを行う。この光ピックアップ１には、ＣＤ用光ビーム、ＤＶＤ用光ビーム、ＢＤ用光ビームが設けられている。
【００２８】
具体的には例えば、ＤＶＤに対応する６５０ｎｍ帯の光ビームと、ＣＤに対応する７８０ｎｍ帯の光ビームとを出射できるレーザダイオード（以下、「第一光源」という）を備えている。また、ＢＤに対応する４０５ｎｍ帯の光ビームを出射できるレーザダイオード（以下、「第二光源」という）を備えている。
【００２９】
第一光源又は第二光源から出射された光ビームは光ディスク２で反射され、光ピックアップ１が備える受光部（不図示）へと集光される。受光部は受光した光情報を電気信号に変換し、ＲＦアンプ３１へ出力する。光検部は例えば、四分割された受光領域を備えており、領域毎に個別に光電変換を行って電気信号を出力することが可能である。
【００３０】
ＲＦアンプ３１は、光ピックアップ１からの電気信号等を増幅する。ＤＳＰ３２は、ＲＦアンプ３１からの電気信号に対して再生のための各種情報処理（例えば画像処理等）を施す。またＤＳＰ３２は、光ピックアップ１により生成されるトラッキングエラー信号やフォーカシングエラー信号等のエラー信号に基づき、モータドライバ４２に駆動信号を供給する。これにより、トラッキング及びフォーカシングの制御や、光ディスク２の回転を制御する。
【００３１】
再生処理回路３３は、ＤＳＰ３２及び後述するＯＳＤ処理回路３５で生成された画像信号の重畳や色調補正等を行い、表示装置（不図示）に画像を表示するための画像信号を生成する。また、スピーカ（不図示）に音声を出力するための音声信号を生成する。出力回路３４は、再生処理回路３３から受けた画像／音声信号を、外部装置に出力するためにＤ／Ａ変換処理を行う。
【００３２】
ＯＳＤ処理回路３５は、文字画やアイコン等の静止画を表示するための画像信号を生成する。具体的には例えば、ユーザが録画の予約を行うための録画予約画面や、早送り等の動作状態を示すアイコン等を表示するための画像信号を生成する。ＯＳＤ処理回路３５により生成された画像信号は再生処理回路３３に与えられ、ＯＳＤ層の画像として重畳される。
【００３３】
システムコントローラ４１及びドライバ４２は、光ピックアップ１、送りモータ５１、及びスピンドルモータ５２の動作を制御する。システムコントローラ４１は、操作部４４からの情報を受け付けてＤＳＰ３２に伝送すると共に、ＤＳＰ３２からの情報を表示部４３に伝送する。
【００３４】
またドライバ４２は、ＤＳＰ３２からの指示に基づいて、光ピックアップ１、送りモータ５１、及びスピンドルモータ５２の動作を制御する。システムコントローラ４１が各種制御に使用する情報は、記録部４５に記録される。
【００３５】
送りモータ５１は、ＤＳＰ３２の指示に基づいて動作するドライバ４２によって駆動される。これにより光ピックアップ１は光ディスク２の径方向に移動する。スピンドルモータ５２は、ドライバ４２により光ディスク２を回転方向に駆動する。なお、ドライバ４２はＤＰＳ３２の指示に基づいてピックアップ装置１に含まれる対物レンズ（図２）のフォーカス制御を行う。
〈２．記録層の構成について〉
【００３６】
ここで、本発明の一実施形態に係る対物レンズ１０と光ディスク２の記録層との構造及び相関関係を、図２の模式図を用いながら説明する。なお本実施形態で例示する光ディスク２は、ＢＤ記録層とＤＶＤ記録層との両方を含むハイブリッドディスクであるものとする。
【００３７】
図２は、光ディスク２及び対物レンズ１０を側面方向から見た断面図である。光ディスク２は、ＤＶＤ用の情報を記録するための低密度記録層２ａ（＝ＤＶＤ記録層）、ＢＤ用の情報を記録するための高密度記録層２ｂ（＝ＢＤ記録層）、反射層を保護するための樹脂層２ｃを含むように構成されている。
【００３８】
低密度記録層２ａ及び高密度記録層２ｂにはピットと呼ばれる凹凸が形成されており、これに光ビーム１０ａを照射して反射光を受光することにより、情報を読み出すことが可能である。低密度記録層２ａは、アルミニウム薄幕等からなる反射層であり、受光した光ビームを全て反射する性質を持つ。
【００３９】
高密度記録層２ｂは、金等の金属膜を極薄くしたものや誘電体膜からなる半透明の反射層であり、光ビームの一部を反射し、一部を透過する性質を持つ。本実施形態では、高密度記録層２ｂはＢＤ用の光ビーム、つまり４０５ｎｍ帯の光ビームを反射する性質を持つ。樹脂層２ｃはポリカーボネイト等の樹脂素材であり、光ビームを透過する性質を持つ。
【００４０】
従って図２（ａ）は、高密度記録層２ｂから情報を読み取っている場合の相関関係、つまりＢＤ再生中の相関関係を示している。また図２（ｂ）は、低密度記録層２ａから情報を読み取っている場合の相関関係、つまりＤＶＤ再生中の相関関係を示している。
〈３．タイトル情報取得処理について〉
【００４１】
ここで、本発明の一実施形態に係るタイトル情報取得処理を、図３のフロー図を用いつつ説明する。
【００４２】
図３に示す処理は、ディスクプレイヤ１００の電源が駆動しており、且つディスクプレイヤ１００に対する光ディスク２の挿入が検知された場合に開始される。なお、ディスクプレイヤ１００には予めユーザ設定等により、ディスク検知時の自動再生の実行が指示されているものとする。
【００４３】
本処理の開始後、システムコントローラ４１はステップＳ１１０において、光ピックアップ１、送りモータ５１、及びスピンドルモータ５２を用いたローディング処理を開始する。
【００４４】
次にシステムコントローラ４１はステップＳ１２０において、光ディスク２の記録層のチェックを行う。そして光ディスク２がハイブリッドディスクであるか否か、つまりＤＶＤ記録層とＢＤ記録層とを含むか否かをチェックする。
【００４５】
なお具体的なチェック処理としては、例えば第一光源を用いたＤＶＤ記録層への読み取り試行と、第二光源を用いたＢＤ記録層への読み取り試行とを、所定回数だけ実施する。そして両記録層への読み取り試行が成功した場合に、ハイブリッドディスクであるとみなす。
【００４６】
次にシステムコントローラ４１はステップＳ１３０において、上記のチェック結果に基づいて処理の分岐を行う。光ディスク２がハイブリッドディスクではない場合、システムコントローラ４１はステップＳ１３５において、通常の再生処理を開始した後、本処理を終了する。つまり光ディスク２がＢＤ記録層を含む場合はＢＤ再生処理を、ＤＶＤ記録層を含む場合はＤＶＤ再生処理を開始する。
【００４７】
光ディスク２がハイブリッドディスクである場合、システムコントローラ４１はステップＳ１４０において、ＤＶＤ記録層のローディング処理を行う。そしてステップＳ１５０において、ＤＶＤ記録層に含まれる所定情報を取得し、ＤＶＤタイトル情報（＝管理情報）として記録部４５に記録する。なお取得する所定情報としては例えば、ＤＶＤ記録層に記録されているタイトル名、チャプター名、タイトル数、チャプター数、再生時間等を取得対象とする。
【００４８】
次にシステムコントローラ４１はステップＳ１６０において、ＢＤ記録層のローディング処理を行う。そしてステップＳ１７０において、ＢＤ記録層に含まれる所定情報を取得し、ＢＤタイトル情報（＝管理情報）として記録部４５に記録する。なお取得する所定情報としては例えば、ＢＤ記録層に記録されているタイトル名、チャプター名、タイトル数、チャプター数、再生時間等を取得対象とする。
【００４９】
次にシステムコントローラ４１はステップＳ１８０において、ＢＤ記録層の再生処理を開始した後、本処理を終了する。なお再生処理の詳細については従来技術と同様であるため、ここでは説明を省略する。
〈５．タイトル情報表示処理について〉
【００５０】
ここで、本発明の一実施形態に係るディスクプレイヤ１００によるタイトル情報表示処理を、図４のフロー図を用いながら説明する。
【００５１】
図４に示す処理は、ディスクプレイヤ１００の電源が駆動しており、且つ光ディスク２に含まれる記録層のいずれかが再生状態である場合に開始される。なお本実施形態では、一例としてＢＤ記録層が再生状態である場合の処理フローを説明する。
【００５２】
本処理の開始後、システムコントローラ４１はステップＳ２１０において、操作部４４に含まれるサーチキーの押下を検知したか否かを判定する。押下を検知していない場合、再びステップＳ２１０に移行し、継続してサーチキー押下の検知を行う。
【００５３】
サーチキー押下を検知した場合、システムコントローラ４１はステップＳ２２０において、予め記録部４５に記録されているＤＶＤタイトル情報（図３のステップＳ１５０で記録したＤＶＤタイトル情報）を読み出す。そしてＯＳＤ処理回路３５を用いて、ＤＶＤタイトルのサーチ画面を表示するための画像信号を生成し、出力回路３４より出力する。
【００５４】
次にシステムコントローラ４１はステップＳ２４０において、ＤＶＤタイトル情報のサーチ画面に含まれるタイトル又はチャプター等を指定するユーザ操作を、操作部４４が検知したか否かを判定する。
【００５５】
所定時間内にユーザ操作を検知しなかった場合、ＤＶＤタイトルのサーチ画面の表示を停止した後、ステップＳ２１０に移行する。
【００５６】
所定時間内にタイトル指定操作を検知した場合、システムコントローラ４１はステップＳ２５０において、ＢＤ記録層のアンロード処理を実施する。つまりＢＤ記録層の再生を中断し、光ピックアップ１が備える対物レンズ１０のフォーカシング制御やトラッキング制御等を停止する。
【００５７】
次にシステムコントローラ４１はステップＳ２６０において、ＤＶＤ記録層のローディング処理を行う。これにより、ＤＶＤ記録層から情報を読み取ることが可能な状態となる。次にシステムコントローラ４１はステップＳ２７０において、上述のＤＶＤタイトルのサーチ画面で指定されたタイトル又はチャプター等に基づく再生処理を開始した後、本処理を終了する。
【００５８】
以上に説明した本実施形態によれば、光ディスク２がハイブリッドディスクである場合において、非再生記録層のタイトル情報を（上記の例ではＤＶＤ層のタイトル情報）をユーザに提示することが可能である。このためユーザは、再生中のコンテンツの視聴を継続しつつ、非再生記録層のタイトル情報の確認を行うことができる。
【００５９】
また本実施形態によれば、非再生記録層のタイトル情報が示すタイトルやチャプター等の指定を受け付けて、指定に基づいた再生処理を行うことが可能である。このためユーザは、再生中のコンテンツの視聴を継続しつつ、非再生記録層に対するサーチ再生指示を行うことができる。
［その他の実施の形態］
【００６０】
以上、好ましい実施の形態及び実施例を挙げて本発明を説明したが、本発明は必ずしも上記実施の形態に限定されるものではなく、その技術的思想の範囲内において様々に変形して実施することができる。
【００６１】
従って本発明は、以下の形態にも適用可能である。
【００６２】
（Ａ）上記実施形態では、光ディスク装置の一例としてディスクプレイヤ１００を例に挙げているが、これ以外の光ディスク装置を用いて本発明を実施する形態でもよい。例えば、ＤＶＤレコーダや、ＢＤプレイヤ等を用いる形態であってもよい。
【００６３】
（Ｂ）上記実施形態では、本発明の光ディスク再生処理に関わる各機能が、システムコントローラ４１が所定のプログラムを実行することにより実現されているが、これらが複数の回路により実現される形態でもよい。
【００６４】
（Ｃ）上記実施形態では、ＤＶＤ記録層及びＢＤ記録層から取得する所定情報としてタイトル名、チャプター名、タイトル数、チャプター数、再生時間を例示しているが、これ以外の情報を取得する形態でもよい。例えばタイトル名のみを取得したり、或いは取得可能な全情報を取得したりする形態でもよい。
【００６５】
（Ｄ）上記実施形態では、システムコントローラ４１がサーチキー押下を検知した場合に（ステップＳ２２０）、ＤＶＤタイトル情報を読み出して表示しているが、ＤＶＤタイトル情報及びＢＤタイトル情報のいずれを表示するかを選択する選択画面をＯＳＤ処理回路３５により生成して表示する形態でもよい。これによりユーザは、いずれの記録層のタイトル情報を表示するかを選択することが可能である。
【００６６】
（Ｅ）上記実施形態では、複数の記録層を持つ光ディスク２としてＤＶＤ／ＢＤハイブリッドディスクを例示しているが、これ以外の記録層数及び記録方式の光ディスク２を用いて本発明を実施する形態でもよい。例えばＣＤ／ＤＶＤ／ＢＤの三種類の記録層を持つ光ディスク２に対して、上述のタイトル情報取得処理及びタイトル情報表示処理を実施する形態でもよい。
【００６７】
（Ｆ）上記実施形態では、取得したタイトル情報を記録部４５から消去するタイミングについては特に明記していないが、運用形態にあわせてこのタイミングを適宜変更することも可能である。例えば、光ディスク２がディスクプレイヤ１００より排出されたタイミングで消去する形態でもよい。或いは、光ディスク２を識別するための識別情報を光ディスク２より取得し、識別情報とタイトル情報とを関連付け、光ディスク２の排出後も記録する形態でもよい。これにより、光ディスク２が再度ディスクプレイヤ１００に装着された場合に、各記録層からタイトル情報を取得する処理を省略することが可能である。
【符号の説明】
【００６８】
１００    ディスクプレイヤ（光ディスク装置）
１        光ピックアップ（光検出器）
２        光ディスク
３４      出力回路（接続部）
３５      ＯＳＤ処理回路（画像信号生成部）
４１      システムコントローラ（制御部）
４３      表示部
４４      操作部
４５      記録部
【図１】
2010287278.tif 000003
【図２】
2010287278.tif 000004
【図３】
2010287278.tif 000005
【図４】
2010287278.tif 000006